(57)【要約】【課題】寝たきり、介護を要する人、硬直麻痺の人、身体障害者、手術後の方で着替えが困難な方をスムーズに作業が出来、心理的な屈辱を感じる事なく着易い寝間着式とパジャマ式を提供する。【解決手段】▲１▼この寝間着式をパジャマ式は身頃部分の脇線の胸部から袖付けにかけ縫わない部分６センチの空きを作り、排管等の手当てをしやすくなる、パジャマ式の上着も同様。▲２▼パジャマ式のズボンは股下を全開する事により排尿、排便が手軽に手当て出来、ズボンの脇は腹部より１０センチ下から２０センチの空きを左右に入れる事により排管を通し易くなった事が特徴。▲３▼寝間着式、パジャマ式双方共、袖口にかけ、細くし食時其の他の所作で袖が物品に当たり、汚れたり邪魔にならない様に考案した。【選択図】図１
2007303053.tif 000002
【特許請求の範囲】
【請求項１】
寝間着式の身頃部分の両脇線に切り込みを入れ、空きを作る事により排管通しが容易に可能とした寝間着式着衣。
【請求項２】
寝間着式着衣とパジャマ式のズボンの脇線の切り込みを左右に作り空きの部分に上蓋を設け、身頃と接続することにより冷えを防ぐこととした事を特徴とする寝間着式着衣。
【請求項３】
股下は両足共、全開出来排尿、排便に非常に便利に工夫した事を特徴とする請求項２に記載の寝間着式着衣。
【発明の詳細な説明】
【発明の詳細な説明】
【産業上の利用分野】
【０００１】本発明は、寝たきり、手術後、硬直麻痺、身体障害等着替えが困難な人やベットの上での排尿、排便、オムツ替えや寝位か変わった場合も容易に着脱出来る様工夫したものである。
【背景技術】
【０００２】従来は浴衣を使用する様指示されるが、浴衣は前頃がはだけて患者は屈辱的な状態となり袖も大きく動作に支障をきたすことが多い。６−３９９１７のつなぎのパジャマは排尿、排便時や一人で手洗い時等は双方のチャックを開けズボン部分を持ち上げる事となる応々にして周囲に付き汚れやすい。又、入浴時等つなぎは病人の場合特に着脱に大変不便。３０７１１４５号は１枚の布で脇線を開けたまま２ヶ所を紐で接続する程度では脇から胴体が丸見えで屈辱感を取り除く事は不可能。尚、布団を掛けても脇や袖が接続していないので寒さも倍増する実態は動く人間として寝起きする立場で発明されたものでなく介護人の作業を軽減する事のみを重点に提案されたものと考えられる。
【発明が解決しようとする課題】
【０００３】従来の寝間着式やパジャマ式は着替えが困難で身体の前面部位や裾がはだけ、介護者も着替えやオムツ替えは重労働で無理を極める。術後の管を付ける必要のある患者の課題をスムーズに解決可能な寝間着式とパジャマ式を提案する。
【課題を解決する為の手段】
【０００４】本発明の寝間着式及びパジャマ式の上着は手術後浴衣の様に全開出来胸部の排管や排尿の管を身頃の脇の上部、下部の左右の空きによって寝位か左右どちらに変わっても着替えやオムツ交換、排管の通しもスムーズに出来、胸部、下腹部の露出をする事無く達成される。
【０００５】寝間着式の身頃部分の両脇線に切り込みを入れ、空きを作る事により排管通しが容易に可能とした寝間着式着衣。寝間着式着衣とパジャマ式のズボンの脇線の切り込みを左右に作り空きの部分に上蓋を設け、身頃と接続することにより冷えを防ぐこととした事を特徴とする寝間着式着衣。股下は両足共、全開出来排尿、排便に非常に便利に工夫した事を特徴とする。請求項２に記載の寝間着式着衣。寝間着式、パジャマ式の布地は２重、３重、５重のガーゼ地やタオル地を季節によって使用。寝間着式やパジャマ式、ズボンは体格や男女性別によって達成前身頃に大きめのポケットを付ける事により小物を便利に入れる事が出来、車椅子の患者にも重宝する。尚袖部分は肩から袖口にかけ徐々に細くし、食事、其の他の所作で袖が食品や物品に紛れ汚れたり邪魔にならぬ様発明されている。
【発明実施の形態】
【０００６】本発明は介護を要する人、術後、身体硬直の方の寝間着式とパジャマ式を提供する。図１の寝間着式は胸や裾がはだけず動作も楽で身頃の脇の切り込みにより排管も簡単に出し入れ出来る。又、患者の寝位により（左右どちらか）使用しない時は、上蓋で止められるので見栄や寒さを防ぐ。図２のパジャマ式も上着は寝間着式と同様。ズボンは腰廻りを二段のゴムで体格に合わせ調整出来、脇の切れ目は排管を通す様工夫（上蓋付）。股下は全開出来排尿、排便を容易にする。寝間着式、パジャマ式双方共、左右にポケットを付け車椅子又は歩ける様になった患者は財布、ハンカチ、ティッシュ等を入れ持ち歩く必要がなく便利。季節により袖丈、ズボンの長さ、布地を調整する。
出来排尿、排便を容易にする。寝間着式、パジャマ式双方共、左右にポケットを付け車椅子又は歩ける様になった患者は財布、ハンカチ、ティッシュ等を入れ持ち歩く必要がなく便利。季節により袖丈、ズボンの長さ、布地を調整する。
【０００７】着用の仕方はベットの片方に寝返りさせ、寝間着式とパジャマ式の上着は中央に敷き、病人を元に戻し袖に手を通し、前身頃を脇の紐で結ぶ。パジャマ式のズボンは腰を寝床から少し浮かせ腹部に着せる。足の部分はマジックで止めるだけでスムーズに穿かせる事が可能である。術後１０日位するとパジャマ式に着替える患者が多く、上着の胸部とズボンの腹部を別々に必要な手当が可能。
【０００８】図１、２の様に前身頃の脇と図３ズボンの脇の左右に切り込みを入れる事により、術後のの出し入れ手当てもスムーズに出来る。袖部分も同様。パジャマ式のズボンは股下が全開排管出来マジックにより開閉も簡単。手当てに必要な部位だけを使用する事が出来、心理的にも羞恥心なく着脱可能。
【発明の効果】
【０００９】本発明の寝間着式、パジャマ式は袖の脇の下、前身頃の脇の左右の切り込みの部分、股下の全開、身頃の打合わせが浴衣風に楽に着られ、患者の術後の手当ての都合により左右どちらにも打ち合わせが出来る。又、袖の幅も袖口にかけ細く工夫し動作しやすい。よって病人や介護人が無駄な力をかけず屈辱感も無く快適な入院生活を過ごすことが出来る。無駄な部分を省きかさばらず特定部位だけを手軽に手当て可能に工夫した。
【図面の簡単な説明】
【００１０】
【図１】本発明の実施形態の一つを示す寝間着式の展開図である。
【図２】本発明の実施形態の一つを示すパジャマ式上の展開図である。
【図３】本発明の実施形態の一つを示すパジャマ式下の展開図である。
【符号の説明】
【００１１】１        右前身頃                          ３０      右前身頃
２        左前身頃                          ３１      左前身頃
３        後身頃                            ３２      後身頃
４        袖                                ３        袖
５        衿                                ３４      衿
６        ポケット                          ３５      ポケット
７        身頃の袖付の切り込み              ３６      身頃の袖付の切り込み
８        脇の切り込み                      ３７〜４０紐
９        脇の切り込みの蓋                  ４１      ズボンの前
１０〜１７紐                                ４２      ズボンの後ろ
１８〜２３脇の切り込みの身頃と蓋のマジック  ４３      ウエストゴム部分
４４      腰の切り込み
４５      腰の切り込みの蓋
４６      股の全開部分
４７〜５２腰の切り込み部分のマジック
５３〜６２股の全開部分のマジック
【図１】
2007303053.tif 000003
【図２】
2007303053.tif 000004
【図３】
2007303053.tif 000005